(57)【要約】【課題】用紙ジャム処理後において、用紙搬送ガイドを用紙ジャム処理前に位置した位置に確実に復帰させて、用紙搬送路の切り替えができなくなる状態を回避する。【解決手段】ソレノイド２１には連結部材２３が連結され、連結部材には、カバーの開閉操作に応じた用紙搬送ガイドの移動に応じて用紙搬送ガイドの軸部２４を離脱可能に収納する収納部２５が形成されている。軸部は、ソレノイドによって用紙搬送ガイドの自重で規定された第１の位置と第１の位置の上側に位置する第２の位置とに移動される。収納部はその一面が開口面とされており、付勢部材によって開口面を所定の方向に向けて収納部が位置づけられている。ガイド片（斜面片部２５ｅ及び垂下片部２５ｆ）は開口面の下側端部から下側に延びており、第２の位置に軸部がある際、軸部を収納部から開口面側から離脱させた後復帰させて、ガイド片が駆動軸部で押圧されると付勢部材に抗して収納部が回動されて開口面を下方に向けられて、ガイド片に沿って軸部が収納部に収納され、離脱前の位置に復帰する。【選択図】      図１
2004315214.tif 000002
【特許請求の範囲】
【請求項１】
画像形成装置において用紙を搬送する際に用いられ、複数の用紙搬送路を分岐する分岐部に配置され、前記用紙搬送路を選択的に切り換えるための切り替えガイド部材と、前記切り替えガイド部材を前記用紙搬送路の数に応じて規定された複数の位置の一つに移動して、前記用紙搬送路の切り替えを行う切り替え手段とを有し、前記画像形成装置筐体に設けられた開閉部を開いた際、前記切り替えガイド部材が前記分岐部から離脱し、前記開閉部を閉じた際、前記切り替えガイド部材が前記分岐部に復帰するようにした用紙搬送装置であって、
前記切り替えガイド部材は、その自重によって規定される前記複数の位置のいずれか一つを基準位置としており、
前記基準位置以外の位置に前記切り替えガイド部材が位置する際、前記開閉部を開いて前記切り替えガイド部材を前記分岐部から離脱させた後、前記開閉部を閉じて前記切り替えガイド部材を前記分岐部に復帰させる際、前記切り替えガイド部材をその離脱前の位置に案内する案内部材を有することを特徴とする用紙搬送装置。
【請求項２】
前記切り替え手段は、上下方向に延びる駆動軸体を有し、前記駆動軸体を前記上下方向に沿って移動させており、前記駆動軸体には前記開閉部の操作に応じた前記切り替えガイド部材の移動に応じて前記切り替えガイド部材の駆動軸部を離脱可能に収納する収納部が形成され、
前記駆動軸部を前記上下方向に沿って位置づけられた複数の位置の一つに移動して、前記切り替えガイド部材の位置を変化させて前記用紙搬送路の切り替えを行っており、
前記案内部材は前記収納部を前記駆動軸体の延在方向に直交する回動軸回りに回動自在に配置するピン部材と、前記基準位置以外で前記駆動軸部を前記収納部から離脱させた後復帰させる際、前記駆動軸部によって押圧されて前記収納部を前記ピン部材回りに回動させて前記駆動軸部を前記収納部に収納させるガイド片とを有することを特徴とする請求項１に記載の用紙搬送装置。
【請求項３】
前記駆動軸部は前記基準位置に対応する第１の位置と該第１の位置の上側に位置する第２の位置とに移動され、
前記収納部は一面が開口面とされており、前記開口面を所定の方向に向けて前記収納部を位置づける付勢部材を備え、
前記ガイド片は該開口面の下側端部から下側に延びており、前記第２の位置に前記駆動軸部がある際前記駆動軸部を前記収納部から前記開口面側から離脱させた後復帰させて前記ガイド片が前記駆動軸部で押圧されると前記付勢部材に抗して前記収納部が回動されて前記開口面を下方に向けるようにしたことを特徴とする請求項２に記載の用紙搬送装置。
【請求項４】
前記ガイド片の長さは前記第１の位置と前記第２の位置の間隔以上であることを特徴とする請求項３に記載の用紙搬送装置。
【請求項５】
前記ガイド片は、前記開口面の下端から斜め下方に延びる斜面片と、該斜面片の一端から前記下側に延びる垂下片とを有し、
前記第２の位置に前記駆動軸部がある際前記駆動軸部を前記収納部から前記開口面側から離脱させた後復帰させて前記垂下片が前記駆動軸部で押圧されると前記付勢部材に抗して前記収納部が回動されて前記開口面が下方に向けられて、前記駆動軸部が前記垂下片及び前記斜面片に沿って前記収納部に収納されるようにしたことを特徴とする請求項３に記載の用紙搬送装置。
【発明の詳細な説明】
【０００１】
【発明の属する技術分野】
本発明は、複写機又はプリンター等の画像形成装置に備えられ、記録紙等の用紙を搬送するための用紙搬送装置に関するものである。
【０００２】
【従来の技術】
一般に、複写機又はプリンター等の画像形成装置では、用紙搬送装置によって、記録用紙（用紙）を画像形成部に搬送して、画像形成部で用紙に画像形成を行った後、用紙を排紙しているが、画像が形成された記録用紙（用紙）を選択的にフェースアップ及びフェースダウンで排紙するようにしたものがあり（なお、フェースアップとは画像が形成された面を上側にして排紙することを意味し、フェースダウンとは画像が形成された面を下側にして排紙することを意味する）、このような画像形成装置では、画像形成部の下流に（つまり、定着部の下流に）、用紙搬送装置を構成するフェースアップ搬送路及びフェースダウン搬送路が備えられ、フェースアップ搬送路によって用紙をフェースアップ状態で外部のトレイに排出し、フェースダウン搬送路によって用紙をフェースダウン状態で外部のトレイに排出している。
【０００３】
そして、フェースアップ搬送路及びフェースダウン搬送路が合流する分岐部には分岐爪等のガイド部材が設けられており、モード設定（つまり、フェースアップモード又はフェースダウンモード）に応じて、例えば、ソレノイドをオン／オフ制御して、用紙搬送ガイドを駆動して（移動して）、選択的に用紙をフェースアップ搬送路又はフェースダウン搬送路に案内する。つまり、フェースアップモードの際には、用紙搬送ガイドによって用紙はフェースアップ搬送路に案内され、フェースダウンモードの際には、用紙搬送ガイドによってフェースダウン搬送路に案内されることになる。
【０００４】
上述のように、画像形成装置においては、フェースアップ搬送路とフェースダウン搬送路とを切り換えて、フェースアップ又はフェースダウンで用紙の排紙を行っているが、フェースアップ搬送路とフェースダウン搬送路との切り替えは、一例であり、画像形成装置においては、各種用紙搬送経路が用いられており、モード設定等に応じて用紙搬送路を用紙搬送ガイドによって選択的に切り換えることが行われている。例えば、複写機等に装着されて、原稿を読取部に搬送する原稿搬送装置（用紙搬送装置）においては、両面原稿の画像を読み取る際には、原稿を反転して読取り部に再度搬送させており、この際においても、両面印刷と同様に、用紙搬送ガイドによって用紙搬送路を切り替えることになる。
【０００５】
ここで、図２を参照すると、いま、定着部（図示せず）を通過した用紙は、前述のように、フェースアップ搬送路又はフェースダウン搬送路に選択的に搬送されることになる。例えば、定着部を通過した用紙は定着排紙ガイド１１を経由して、定着排紙ローラ１２によって用紙搬送ガイド１３に至る。この際、排紙モードがフェースダウンモードとなっていると、図２（ａ）に示すように、ソレノイド２１によって、用紙搬送ガイド１３が下がり（フェースダウン）、実線矢印で示す方向に用紙が搬送される。
【０００６】
一方、排紙モードがフェースアップモードとなっていると、図２（ｂ）に示すように、ソレノイド２１によって、用紙搬送ガイド１３が上り（フェースアップ）、破線で示す方向に用紙が搬送されることになる。このようにして、排紙モードを切り換えることによって、用紙搬送ガイド１３を切り換えて、フェースアップ搬送路又はフェースダウン搬送路を切り換えるようにしている。
【０００７】
ところで、用紙搬送ガイドを切り換える際には、ソレノイド２１への通電／非通電によって、鉄心（プランジャー）を上下動させて、用紙搬送ガイドを駆動しているが、一般に、プランジャータイプのソレノイド２１には、連続通電タイプと間欠通電タイプのものがあり、連続通電タイプのソレノイドでは、通電状態で、例えば、プランジャーが上方向に移動され、非通電状態でプランジャーが元の位置に戻る。
【０００８】
このような連続通電タイプのソレノイド２１では、通電状態が連続する（長くなる）使用状態が続くと、連続的に電流がコイルに流れる結果、コイルの発熱によってコイル温度が高くなってしまい、この結果、所望の保持力が得られないことがある。コイルの発熱に対処して所望の保持力を得るためには、ソレノイド自体を大きくせざるを得ず、この結果、画像形成装置自体が大型化してしまうことになる（つまり、コンパクトな設計が要求される画像形成装置においては、設計条件が極めて厳しいものとなってしまう）。
【０００９】
一方、間欠通電タイプのソレノイド２１では、例えば、通電によってオン動作させた後には、通電を行う必要がなく、永久磁石によってその状態（オン状態）を保持する（つまり、プランジャーが上方向に移動した状態となる。そして、再度通電すると、オフ状態となってプランジャーが下がる）。このようなソレノイドは自己保持タイプソレノイドとも呼ばれており、連続的に電流が流れることがないから、コイル発熱による保持力低下がなく、ソレノイド自体が大型化することもない。
【００１０】
ここで、図３も参照すると、上述の自己保持タイプソレノイド（以下単にソレノイドと呼ぶ）２１は、画像形成装置筐体２２に取り付けられており、ソレノイド２１には図中下方に延びるプランジャー２１ａが備えられている。そして、プランジャー２１ａには連結部材２３が連結され、連結部材２３の下端部には、用紙搬送ガイドの軸部２４が収納される矩形状の収納部２３ａが固定されて取り付けられており、この収納部２３ａの前面（図中右面）から軸部２４が収納部２３ａに収納される。
【００１１】
いま、ソレノイド２１をオンすると、プランジャー２１ａが上方に駆動されて、通電を切っても、この状態が保持される。プランジャー２１ａの上方の移動によって、連結部材２３も上方に移動し、これに伴って、軸部２４が上方に移動して第１の位置（基準位置）から第２の位置に移動し、用紙搬送ガイドの切り替えが行われて、用紙搬送路が切り換えられることになる。
【００１２】
一方、ソレノイド２１に再度通電すると、ソレノイド２１がオフ状態となって、プランジャー２１ａが下方に移動し、これによって、軸部２４が下方に移動して第２の位置から第１の位置に復帰して、用紙搬送ガイドによって再び用紙搬送路が切り換えられることになる。
【００１３】
ところで、例えば、前述の定着部又は定着部の下流側で、用紙ジャム（用紙詰まり）が発生した場合には、ジャム処理を行うことになるが、定着部３１で用紙がジャムした際には、図４に示す状態から図５に示す状態として、前述のように、定着部３１を露出した状態とする（なお、図４及び図５は、図３と逆向きに示されている）。つまり、前述の定着排紙ガイド１１（図４及び図５には示さず）、用紙搬送ガイド１３、及び定着排紙ローラ１２を含む部分（以下分岐ユニットと呼ぶ）４１を前方へ倒して、定着部３１を露出した状態とし、ユーザは定着部３１でジャムした用紙を処理することになる。この際、前述のソレノイド２１は画像形成装置２２に保持された状態となる。一方、フェースアップ搬送路とフェースダウン搬送路の分岐部でジャムが発生した際には、図４に示す状態において、分岐ユニット４１の前面カバー４２を開いて、分岐部を露出させて、ジャムした用紙を処理することになる。
【００１４】
このようなジャム処理を容易にしたものとして、搬送路分岐部のガイド部材を揺動可能に保持して、搬送される用紙の押圧によって退避させるとともに、自重によって基準位置に復帰させるようにしたものがある（特許文献１参照）。
【００１５】
【特許文献１】
特開２００１−３１６０１７公報（段落（００１８）及び（００１９）、第１図〜第３図）
【００１６】
【発明が解決しようとする課題】
いま、図３において、ソレノイド２１がオンされて、プランジャー２１ａが上方へ移動した状態である際に（つまり、軸部２４が第２の位置にある際に）、分岐部で用紙ジャムが発生したとする。この状態において、図４に示す状態において、カバー４２を開いて、分岐部を露出させると、軸部２４は第１の位置にある状態が通常位置であるため（つまり、プランジャー２１ａが上方に駆動されていない位置が軸部２４の通常状態であるため）、軸部２４は▲１▼の位置（第２の位置）からカバーの開操作に伴って、図中一点鎖線で示すように自重落下した後（自由落下した後の位置は▲３▼で示されている）、円弧状の軌跡を描いて収納部２３ａから離脱することになる。
【００１７】
そして、ジャム処理の後、分岐ユニット４１の前面カバー４２（図４参照）を閉じると、軸部２４は円弧状の軌跡を描いて、復帰することになるが、この際、自重によって落下した分だけの差をもった位置（図中▲２▼で示す位置（第１の位置））に復帰してしまうことになる。つまり、プランジャー２１ａが上方に駆動された状態でジャム処理を行うと、カバー４２を閉じても、軸部２４が連結部材２３の収納部２３ａに復帰せず、連結部材２３の下側の位置（第１の位置）に位置づけられてしまうことになって、その後、用紙搬送路の切り替えが行えなくなってしまうという課題がある（言い換えると、プランジャーを下方に移動させることができなくなってしまう）。
【００１８】
本発明の目的は用紙ジャム処理後においても、用紙搬送ガイドを用紙ジャム処理前に位置した位置に確実に復帰させて、用紙搬送路の切り替えができなくなる状態を回避することのできる用紙搬送装置を提供することにある。
【００１９】
【課題を解決するための手段】
本発明によれば、画像形成装置において用紙を搬送する際に用いられ、複数の用紙搬送路を分岐する分岐部に配置され前記用紙搬送路を選択的に切り換えるための切り替えガイド部材と、前記切り替えガイド部材を前記用紙搬送路の数に応じて規定された複数の位置の一つに移動して前記用紙搬送路の切り替えを行う切り替え手段とを有し、前記画像形成装置筐体に設けられた開閉部を開いた際前記切り替えガイド部材が前記分岐部から離脱し前記開閉部を閉じた際前記切り替えガイド部材が前記分岐部に復帰するようにした用紙搬送装置であって、前記切り替えガイド部材はその自重によって規定される前記複数の位置のいずれか一つを基準位置としており、前記基準位置以外の位置に前記切り替えガイド部材が位置する際前記開閉部を開いて前記切り替えガイド部材を前記分岐部から離脱させた後前記開閉部を閉じて前記切り替えガイド部材を前記分岐部に復帰させる際、前記切り替えガイド部材をその離脱前の位置に案内する案内部材を有することを特徴とする用紙搬送装置が得られる。
【００２０】
このようにして、切り替えガイド部材がその自重によって規定される複数の位置のいずれか一つを基準位置とする際、基準位置以外の位置に切り替えガイド部材が位置すると、開閉部（カバー等）を開いて切り替えガイド部材を分岐部から離脱させた後、開閉部を閉じて切り替えガイド部材を分岐部に復帰させる際、切り替えガイド部材をその離脱前の位置に案内するようにすれば、用紙ジャム処理等開閉部を開いて処理を行う際においても、切り替えガイド部材を離脱前の位置（例えば、ジャム処理前の位置）に確実に復帰させることができることになって、用紙搬送路の切り替えができなくなる状態を回避することができる。
【００２１】
前記切り替え手段は上下方向に延びる駆動軸体を有し、前記駆動軸体を前記上下方向に沿って移動させており、前記駆動軸体には前記開閉部の操作に応じた前記切り替えガイド部材の移動に応じて前記切り替えガイド部材の駆動軸部を離脱可能に収納する収納部が形成され、前記駆動軸部を前記上下方向に沿って位置づけられた複数の位置の一つに移動して、前記切り替えガイド部材の位置を変化させて前記用紙搬送路の切り替えを行っており、前記案内部材は前記収納部を前記駆動軸体の延在方向に直交する回動軸回りに回動自在に配置するピン部材と、前記基準位置以外で前記駆動軸部を前記収納部から離脱させた後復帰させる際前記駆動軸部によって押圧されて前記収納部を前記ピン部材回りに回動させて前記駆動軸部を前記収納部に収納させるガイド片とを有している。
【００２２】
このように、切り替えガイド部材の軸部が収納される収納部を切り替え手段（ソレノイド等）の駆動軸体の延在方向に直交する回動軸回りに回動自在に配置して、基準位置以外で軸部を収納部から離脱させた後復帰させる際、軸部によってガイド片（例えば、垂下片部）が押圧されて、収納部をピン部材回りに回動させて軸部を収納部に収納するようにすれば、簡単な構造で容易に切り替えガイド部材を離脱前の位置に確実に復帰させることができることになる。
【００２３】
例えば、前記駆動軸部は前記基準位置に対応する第１の位置と該第１の位置の上側に位置する第２の位置とに移動され、前記収納部は一面が開口面とされており、前記開口面を所定の方向に向けて前記収納部を位置づける付勢部材を備え、前記ガイド片は該開口面の下側端部から下側に延びており、前記第２の位置に前記駆動軸部がある際前記駆動軸部を前記収納部から前記開口面側から離脱させた後復帰させて前記ガイド片が前記駆動軸部で押圧されると前記付勢部材に抗して前記収納部が回動されて前記開口面を下方に向ける。
【００２４】
このように、切り替えガイド部材の軸部を基準位置に対応する第１の位置と第１の位置の上側に位置する第２の位置とに移動して、切り替えガイド部材によって用紙搬送路を切り換える際、収納部は一面を開口面として、付勢部材で開口面を所定の方向に向けて収納部を位置づけ、ガイド片を開口面の下側端部から下側に延在させて、第２の位置に軸部がある際、軸部を収納部から開口面側から離脱させた後復帰させて、ガイド片が軸部で押圧されると付勢部材に抗して収納部が回動されて開口面を下方に向けるようにすれば、自重によって落下する切り替えガイド部材の軸部を簡単に離脱前の位置に復帰させることができることになる。
【００２５】
なお、前記ガイド片の長さは前記第１の位置と前記第２の位置の間隔以上であることが望ましく、前記ガイド片が、前記開口面の下端から斜め下方に延びる斜面片と、該斜面片の一端から前記下側に延びる垂下片とを有するようにしてもよく、この際には、前記第２の位置に前記駆動軸部がある際前記駆動軸部を前記収納部から前記開口面側から離脱させた後復帰させて前記垂下片が前記駆動軸部で押圧されると前記付勢部材に抗して前記収納部が回動されて前記開口面が下方に向けられ、前記駆動軸部が前記垂下片及び前記斜面片に沿って前記収納部に収納される。
【００２６】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２７】
図１を参照して、図示の例において、図２及び図３に示す構成要素と同一の構成要素については同一の参照番号を付す。ここでは、用紙搬送装置として、画像形成装置に用いられて定着部の下流側に備えられ、用紙排出搬送路と用紙反転搬送路とをその分岐部で切り換える用紙搬送装置について説明するが、複数の用紙搬送路をその分岐部で切り換えるものであれば、画像形成装置の他の部分においても本発明による用紙搬送装置を用いることができ、この用紙は記録用紙又は原稿用紙である。
【００２８】
図１（ａ）に示すように、ソレノイド２１は、画像形成装置筐体２２に取り付けられており、ソレノイド２１には図中下方に延びるプランジャー２１ａが備えられている。そして、プランジャー２１ａには連結部材２３が連結され、連結部材２３の下端部には、用紙搬送ガイドの軸部２４が収納される収納部２５が規定されており、軸部２４はこの収納部２５内に収納されている（なお、プランジャー及び連結部材が駆動軸体である）。
【００２９】
収納部２５は、軸部（駆動軸部）２４が収納される収納室２５ａを有し、この収納室２５ａの前面（図中右面）は開放されており、この前面側から軸部２４が収納室２５ａに収納されることになる。収納部２５の後端（図中左端）はピン部材２５ｂによって連結部材２３に取り付けられており、収納部２５はピン部材２５ｂの回りに回動自在となっており、通常の状態では、バネ等の付勢部材（図示せず）によって、図１（ａ）に示す状態に保持されている（つまり、収納室２５ａの前面開口部が真っ直ぐ右方向に向いた状態に保持されている。この位置を収納部基準位置と呼ぶ）。
【００３０】
収納室２５ａを規定する下片部２５ｃはその上片部２５ｄよりも図中右方向に延在しており、その右端部には、下片部２５ｃに連続して下方に下がる斜面片部２５ｅと斜面片部２５ｅに連続して図中鉛直方向に延在する垂下片部２５ｆとが形成されている（斜面片部２５ｅ及び垂下片部２５ｆはガイド片を構成し、ピン部材２５ｂとガイド片によって案内部材が構成される）。
【００３１】
図１（ａ）に示す状態は、プランジャー２１ａが下方に下げられた状態であり（この状態をオフ状態と呼ぶことにする）、この状態では、軸部２４は第１の位置（軸部基準位置）にあり、軸部２４に連結された用紙搬送ガイド（切り替えガイド部材）１３によって、例えば、定着部から搬送された用紙は用紙排出搬送路に搬送される。図１（ａ）に示す状態で、分岐部で用紙ジャムが発生すると、図４に示す状態で、画像形成装置のカバー４２を開いて、ジャム処理を行う。この際には、前述のように、軸部２４は図１（ａ）に一点鎖線で示す軌跡を描いて、収納室２５ａから離脱する。ユーザがジャム処理を行った後、画像形成装置のカバーを閉じると、軸部２４は図１（ａ）に示す一点鎖線に沿って第１の位置に復帰して、収納室２５ａに収納される。
【００３２】
一方、図１（ｂ）に示すように、ソレノイド２１によって、プランジャー２１ａが上方に移動して、軸部２４が第２の位置にある際には、軸部２４に連結された用紙搬送ガイドによって、例えば、定着部から搬送された用紙は用紙反転搬送路に搬送される。図１（ｂ）に示す状態で、用紙ジャムが発生すると、画像形成装置のカバー４２を開いて、ジャム処理を行うことになるが、軸部２４は図１（ｂ）に実線で示すように、一旦自重落下した後、一点鎖線で示す軌跡（この軌跡は図１に示す軌跡と同一の軌跡である）を描いて、収納室２５ａから離脱する。
【００３３】
図１（ｃ）を参照すると、ユーザがジャム処理を行った後、画像形成装置のカバー４２を閉じると、軸部２４は図１（ｂ）に示す一点鎖線に沿って復帰することになるが、カバー４２を閉じていくと、軸部２４が垂下片部２５ｆを図中左方向に押圧することになって、この結果、収納部２５が付勢部材の付勢力に抗して、図中破線で示すように、時計回りにピン部材２５ｂを回動中心として回動する。これによって、収納室２５ａの前面開口部が下方に向けられることになる。
【００３４】
さらにカバー４２を閉じると、軸部２４は斜面片部２５ｅに沿って移動することになって、軸部２４が収納室２５ａに収納されると、垂下片部２５ｆの押圧が解かれる結果、付勢部材によって、収納部２５が反時計回りにピン部材２５ｂを回動中心として回動して、収納部２５は元の位置に復帰する（つまり、収納部２５は収納部基準位置に復帰して、図１（ｂ）に示す状態となる）。
【００３５】
このように、図示の例では、ソレノイド２１によってプランジャー２１ａが引き上げられている状態にある際に、用紙ジャム処理を行っても、確実に軸部２４を収納室２５ａに復帰させることができ（つまり、第２の位置に軸部２４を復帰させることができ）、用紙搬送路の切り替えが行えなくなる事態を回避することができる。
【００３６】
なお、前述の垂下片部２５ｆの延在長さは少なくとも第１の位置と第２の位置との間隔以上であり、斜面片部２５ｅを形成することが望ましいが、特に必須のものではない。
【００３７】
また、上述の例では、軸部２４が第１の位置と第２の位置とに位置づけられる例について説明したが、３つ以上の用紙搬送路の分岐部に用紙搬送ガイドが設けられる際には、軸部２４は３つ以上の位置に位置づけられることなって、用紙が３つの搬送路に選択的に搬送されることになる。この際においても、図１で説明したようにして、軸部２４が移動されることになるが、例えば、第１〜第３の位置に選択的に軸部が位置づけられる際には、最も下側にある第１の位置が基準位置とされ、垂下片部２５ｆの長さは第１の位置と第３の位置との間隔以上とすればよい。
【００３８】
【発明の効果】
以上説明したように、本発明によれば、切り替えガイド部材がその自重によって規定される複数の位置のいずれか一つを基準位置とする際、基準位置以外の位置に切り替えガイド部材が位置する際、開閉部（カバー等）を開いて切り替えガイド部材を分岐部から離脱させた後、開閉部を閉じて切り替えガイド部材を分岐部に復帰させる際、切り替えガイド部材をその離脱前の位置に案内するようにしたから、用紙ジャム処理等開閉部を開いて処理を行う際においても、切り替えガイド部材を離脱前の位置（例えば、ジャム処理前の位置）に確実に復帰させることができ、その結果、用紙搬送路の切り替えができなくなる状態を回避することができるという効果がある。
【００３９】
本発明では、切り替えガイド部材の軸部が収納される収納部を駆動装置（ソレノイド等）の駆動軸体の延在方向に直交する回動軸回りに回動自在に配置して、基準位置以外で軸部を収納部から離脱させた後復帰させる際、軸部によってガイド片（例えば、垂下片部）が押圧されて、収納部をピン部材回りに回動させて軸部を収納部に収納するようにしたから、簡単な構造で容易に切り替えガイド部材を離脱前の位置に確実に復帰させることができるという効果がある。
【００４０】
本発明では、切り替えガイド部材の軸部を基準位置に対応する第１の位置と第１の位置の上側に位置する第２の位置とに移動して、切り替えガイド部材によって用紙搬送路を切り換える際、収納部は一面を開口面として、付勢部材で開口面を所定の方向に向けて収納部を位置づけ、ガイド片を開口面の下側端部から下側に延在させて、第２の位置に軸部がある際、軸部を収納部から開口面側から離脱させた後復帰させて、ガイド片が軸部で押圧されると付勢部材に抗して収納部が回動されて開口面を下方に向けるようにしたから、自重によって落下する切り替えガイド部材の軸部を簡単に離脱前の位置に復帰させることができるという効果がある。
【図面の簡単な説明】
【図１】本発明による用紙搬送装置に用いられる用紙搬送ガイドの切り替え機構を示す概要図であり、（ａ）は用紙排出搬送路が選択されている際のジャム処理後の用紙搬送ガイド（軸部）の復帰を説明するための概要図、（ｂ）は用紙反転搬送路が選択されている際にジャム処理を行うためカバーを開いた際の用紙搬送ガイド（軸部）の移動を説明するための概要図、（ｃ）は用紙反転搬送路が選択されている際のジャム処理後の用紙搬送ガイド（軸部）の復帰を説明するための概要図である。
【図２】用紙搬送装置の一例の概略図であり、（ａ）は用紙反転搬送路が選択された状態を示す概略図、（ｂ）は用紙排出搬送路が選択された状態を示す概略図である。
【図３】従来の用紙搬送装置に用いられる用紙搬送ガイドの切り替え機構において、用紙反転搬送路が選択されている際のジャム処理後の用紙搬送ガイド（軸部）の復帰を説明するための概要図である。
【図４】画像形成装置における定着部及びその下流側を概略的に一部破断して示す図である。
【図５】図４において用紙ジャムを処理するためカバーを開いた状態を概略的に一部破断して示す図である。
【符号の説明】
２１  ソレノイド
２１ａ  プランジャー
２２  画像形成装置筐体
２３  連結部材
２４  軸部
２５  収納部
２５ｂ  ピン部材
２５ｅ  斜面片部
２５ｆ  垂下片部
【図１】
2004315214.tif 000003
【図２】
2004315214.tif 000004
【図３】
2004315214.tif 000005
【図４】
2004315214.tif 000006
【図５】
2004315214.tif 000007